(57)【要約】      （修正有）【課題】ハンカチの一面にマスクを収納する程度の大きなマスクポケット付きハンカチであって、そのハンカチの他の裏面に小物を入れる小さなポケットを付けたマスクポケット付きハンカチを提供する。【解決手段】片面がガーゼ１ａともう一方の片面がパイルを合わせた生地、両方がガーゼを合わせた生地、両方がパイルを合わせた生地のいずれかの生地を用いて、それぞれの片面に、マスク収納用の大きなポケット２と、もう一方の片面に小さな小物入れポケットを付けて、裏表にマスク収納用の大きな表ポケット２と小さな裏ポケットを付けてマスクポケット付きハンカチを構成する。【選択図】図１
0003159472.tif 000002
【実用新案登録請求の範囲】
【請求項１】
片面がガーゼともう一方の片面がパイルの合わせた生地にポケットを付ける方向に、生地の両端部を裏表互いに反対方向に折り曲げて一枚のハンカチの裏表に大小のポケットを縫製するハンカチの裏表にポケットを付けてなることを特徴とするマスクポケット付きハンカチ。
【請求項２】
両方がガーゼを合わせた生地にポケットを付ける方向に、生地の両端部を裏表互いに反対方向に折り曲げて一枚のハンカチの裏表に大小のポケットを付けたハンカチの裏表にポケットを付けてなることを特徴とするマスクポケット付きハンカチ。
【請求項３】
両方がパイルを合わせた生地にポケットを付ける方向に、生地の両端部を裏表互いに反対方向に折り曲げて一枚のハンカチの裏表に大小のポケットを付けたハンカチの裏表にポケットを付けてなることを特徴とするマスクポケット付きハンカチ。
【考案の詳細な説明】
【技術分野】
【０００１】
本考案は、ハンカチの一表面にマスクを収納する大きなポケット付きハンカチであって、そのハンカチの他の裏面に小物を入れる小さなポケットを付けたマスクポケット付きハンカチに関するものである。
【背景技術】
【０００２】
特許文献１は、実用新案登録第３１５６３４１号公報に開示される。
これは、普段はハンカチやハンドタオルとして携帯使用し、緊急時にはマスクとして変形して使用される。
【０００３】
特許文献２は実用新案公開平５−７６３０２号公報に開示される。
これは、名刺入れを兼ねたポケットハンカチである。
【０００４】
特許文献３は、実用新案登録第３１３６７８８号公報に開示される。
これは、ハンカチに使い捨てカイロを取り付け取り外しが自在であるように装着するポケットを付けるようにしてひざ掛けとして使用できる。
【０００５】
特許文献４は、実用新案登録第３０１１６１１号公報に開示される。
これは、ハンカチに香水を入れた容器であるアトマイザーを収納するポケットを形成したものである。
【０００６】
特許文献５は、実用新案登録第３１５６５１９号公報に開示されている。
これは、ハンカチとして使用できるほか、小物入れやペットボトル入れとしても使用できる多用途ハンカチである。
これら特許文献１〜５の各公報に開示された考案は、いずれの場合にもポケットを付ける点で共通している特徴がある。しかしながら、これらの先行技術によってもハンカチの裏表に二つ以上のポケットを付けて、マスクと生理用品を同時に収納することはできない。
図３に示した展開図において、ハンカチの生地をガーゼとパイルを合わせた生地にして、この生地の上下のポケット部を折り曲げて、両側をステッチで止めて、裏表に一つの大きなポケットともう一つの小さなポケットを付け、大きなポケットにはマスクを収納し、小さなポケットには生理用品を忍ばせるという２重の効果を達成しようとする。
【先行技術文献】
【特許文献】
【０００７】
【特許文献１】実用新案登録第３１５６３４１号公報
【特許文献２】実用新案公開平５−７６３０２号公報
【特許文献３】実用新案登録第３１３６７８８号公報
【特許文献４】実用新案登録第３０１１６１１号公報
【特許文献５】実用新案登録第３１５６５１９号公報
【考案の概要】
【考案が解決しようとする課題】
【０００８】
解決しようとする問題点は、  本考案は、ハンカチの正面（表面）にマスクが丁度はいる大きさにポケットを作り、もう一方の背面（裏面）の小さいポケットは生理用品を収納するポケット付きハンカチであって、その大きなマスクポケット付のハンカチの裏面に小物を入れる小さなポケットを付けたマスクポケット付きハンカチを提供することを目的とし、特に生地は、片面がガーゼともう一方の片面がパイルを合わせた生地、両方がガーゼを合わせた生地、両方がパイルを合わせた生地のいずれかの生地を使用する。一方の片面に、マスク収納用の大きなポケットと、もう一方の片面に小さな小物入れポケットを付けて、裏表に大きなマスクポケットと小さなポケットを付けてなるマスクポケット付きハンカチに関するものである。
【課題を解決するための手段】
【０００９】
本考案は、ハンカチの裏表にポケットを付けてなるマスクポケット付きハンカチを縫製可能とするため、片面がガーゼともう一方の片面がパイルを合わせた生地、両方がガーゼを合わせた生地、両方がパイルを合わせた生地のいずれかにポケットを付ける方向に、一枚の合わせ生地の両端部をそれぞれ表面側と裏面側に折り曲げて一枚のハンカチの裏表両面に大小のポケットを縫製することを最も主要な特徴とする。
【考案の効果】
【００１０】
本考案のマスクポケット付きハンカチは、裏表の布を合わせた生地に大小のポケットを付けたハンカチを縫製するため、その製品のハンカチの正面（表面）に大きなポケットともう一方の背面（裏面）に小さな小物入れポケットの裏表のポケットを付け、使用するポケットの形状に合わせて、マスク入れとして又は生理用品などの小物を忍ばせるポケットして、収納する物の大小の条件に応じて常に同時に使用できるので、日常の生活に欠かすことができないハンカチの裏表に付けたポケットを適宜使い分けられるという利点がある。
【図面の簡単な説明】
【００１１】
【図１】図１はマスクポケット付ハンカチの正面に付けたマスク用ポケット面の実施方法を示した説明図である。（実施例１）
【図２】図２はマスクポケット付ハンカチの背面に付けた小さなポケット面の実施方法を示した説明図である。（実施例１）
【図３】図３はマスクポケット付ハンカチの生地を展開図により示した説明図である。（実施例１）
【図４】図４はマスクポケット付ハンカチの両面のポケットの縫製方法を示した斜視図である。（実施例１）
【考案を実施するための形態】
【００１２】
ハンカチの用途に応じて適宜に使い分けられる大小のポケットを生地の表面及び裏面に付けるために、ポケットの底部となる生地の両端の折り返し部分を表面側と裏面側に折り曲げて、それぞれ両端部をステッチで止めて生地に縫製するという目的を、最小の工数で実現した。
【実施例１】
【００１３】
図１は、本考案のマスクポケット付きハンカチ製品の１実施例の正面図であって、図面における符号１〜９は、図２〜４と同様である。１ａは、ガーゼ生地、１ｂは、パイル生地、２は、ハンカチの正面に付けた大きな表ポケット、３は、ハンカチの背面に付けた小さな裏ポケット、４は、プリント模様、５は、大きな表ポケットに収納したマスク、６は、ポケットの中央部に付けたモチーフ、７は、小さな裏ポケットに入れた小物、９ａは、大きな表ポケットの底部になる折り返し部、９ｂは、小さな裏ポケットの底部になる折り返し部である。
【００１４】
マスクポケット付きハンカチの片面がガーゼともう一方の片面がパイルの合わせた生地にポケットを付ける方向に、生地の両端部を裏表互いに反対方向に折り曲げて一枚のハンカチの裏表に大小のポケットを縫製するハンカチの裏表にポケットを付けてなることを特徴とする。  
【００１５】
図1に基づいて、大きな表ポケットを説明すると大きな表ポケット２の底部になる折り返し部９ａで、ポケット２部分を折り曲げてステッチで両サイドを止める。この表ポケットは、マスク用ポケットなので中心は縫い止めない。使いかけのマスクを入れるマスクポケットである。ハンカチを二つに折り畳んでマスクが収納できる。
【００１６】
図２に基づいて、小さな裏ポケットを説明すると、背面図であって、パイル１ａとガーゼ１ｂの合わせ生地の折り返し部９ｂを背面に折り曲げてステッチで両サイドを止める。この裏ポケットは、小さなモチーフ６でポケットの中央部を止めて左右連結された一つのポケットになる。ガーゼ１ｂ面に模様をプリントして、パイルとの合わせ生地を使用したことで二つのデザインを施すことができる効果がある。
【００１７】
前項００１６に記載の前記プリント４がチェックなどの織柄になる場合もある。前記モチーフ６は、男性用や男女共用デザインのものはモチーフをつけない場合も有る。
【００１８】
大きな表ポケットにはマスクを入れるため中央部を止めないが、小さな裏ポケットには、モチーフ６で中央を止めて脱落防止になり、その中央をリボンで止めるようにしても良い。
【００１９】
図３は、片面ガーゼ１ｂと片面パイル１ａの合わせた生地の展開図を示している。ポケット部分は、折り返し部９ａ、９ｂで折り曲げて両サイドをステッチで止めて、マスク収納用の大きな表ポケット２と小物収納用の小さな裏ポケット３に縫製される。
【実施例２】
【００２０】
マスクポケット付きハンカチの生地として、裏表両方がガーゼを合わせた生地にポケットを付ける方向に、生地の両端部を裏表互いに反対方向に折り曲げて一枚のハンカチの裏表に大小のポケットを付けたハンカチの裏表にポケットを付けてなることを特徴とする。
【実施例３】
【００２１】
両方がパイルを合わせた生地にポケットを付ける方向に、生地の両端部を裏表互いに反対方向に折り曲げて一枚のハンカチの裏表に大小のポケットを付けたハンカチの裏表にポケットを付けてなることを特徴とするマスクポケット付きハンカチである。
【００２２】
実施例は、使いかけのマスクを表ポケットに収納したり、生理用品を裏ポケットに忍ばせるポケット機能の付いたハンカチである。小物用の裏ポケットの中央部に付けたモチーフ或いはリボンは、生理用品等を忍ばせて使用される際に収納された小物の脱落防止に成るものである。  
【００２３】
実施例１の場合は片面ガーゼと片面パイルの合わせ生地を使用しているが、実施例２は両方がガーゼになる合わせ生地を使用してあり、実施例３は両方がパイルになる合わせ生地を使用している。実施例１乃至３のいずれか１の実施例において、裏表合わせ生地を使用して、裏表の色が違ったり、片面に柄が入り、もう片面が無地といったように、両面の柄が楽しめるように作ることができる。合わせ生地の裏表の柄やデザインは色々アレンジができ、女性向には、周りにレースを付けるなどアレンジをして、男性向きには、マスクを入れるところと小物入れにして、主にマスクの収納ハンカチとして商品化できる。
【産業上の利用可能性】
【００２４】
本考案は、マスク収納ができるところに最も顕著な効果があり、女性向、男性向、子供向にデザインを作ることができる。本考案の実施態様はマスクポケット付きハンカチであって大きなマスクポケットと小さな裏ポケットの両方を裏表に備えるハンカチであることを最も特徴とするものである。ハンカチの表面につけた大きな表ポケットにマスクを収納できるほか、小さな裏ポケットにも小物を収納できる用途にも適用できる。
更に、産業上においてマスクポケットを必要とするに者にとって、男性向、子供向にはあえて、裏側の小ポケットを付けず、表のマスクポケットのみのハンカチに価値が認められる場合、本考案を利用する可能性もあると考えられる。
【符号の説明】
【００２５】
１ａ  パイル、１ｂ  ガーゼ
２    大きな表ポケット
３    小さな裏ポケット
４    プリント模様
５    大きな表ポケットに収納したマスク
６    モチーフ
７    小さな裏ポケットに収納した小物
９ａ，９ｂ    ポケットの底部になる折り返し部
【図１】
0003159472.tif 000003
【図２】
0003159472.tif 000004
【図３】
0003159472.tif 000005
【図４】
0003159472.tif 000006